(57)【要約】【課題】打抜工具の長さを現場で容易に調整することを可能とし、これにより再加工や工具の交換を回避するパンチヘッド組立体を提供すること。【解決手段】パンチヘッド組立体は、パンチヘッドを有しており、このパンチヘッドは、両側にある第１及び第２端部を有する主本体と、長手方向の内孔と、内孔からほぼ径方向に延在する第１経路と、第１経路をほぼ横断する第２経路と、を有する。ボールベアリングは、第１経路内で受けられている。ピン部材は、第２経路内で受けられている。ピン部材は、第１及び第２位置間で回転移動可能である。駆動体は、パンチヘッドに連結されており、内孔内へ延在する柱部を有する。柱部は、外側ボール係合面を有する。パンチヘッドは、柱部に対して軸方向に移動可能である。【選択図】図１
2018176277.tif 000002
【特許請求の範囲】
【請求項１】
両側にある第１及び第２端部と前記第１及び第２端部間に延在する長手方向の内孔とを有する主本体を有し、前記主本体が、前記内孔からほぼ径方向外側に延在する少なくとも１つの第１経路と、前記第１経路をほぼ横断する少なくとも１つの第２経路と、を有する、パンチヘッドと、
前記第１経路内で受容可能なボールベアリングと、
前記ボールベアリングと係合するために前記第２経路内で受容可能なピン部材であって、前記第２経路の長手方向軸に対して第１及び第２位置間で回転移動可能である、ピン部材と、
前記パンチヘッドに連結された駆動体であって、前記パンチヘッドの前記第２端部を通って前記内孔内へ延在する柱部を有し、前記柱部のうち少なくとも一部分が、外側ボール係合面を有し、前記パンチヘッドが、当該駆動体の前記柱部に対して軸方向に移動可能である、駆動体と、
を備え、
前記ピン部材が前記第２経路内で軸方向に移動することにより、前記駆動体に対する前記パンチヘッドの軸方向位置を調整するために、前記ボールベアリングを前記駆動体の前記外側ボール係合面と係合するように及び前記外側ボール係合面から係合解除するように移動させることを特徴とするパンチヘッド組立体。
【請求項２】
前記内孔の少なくとも一部分が、内ネジ山を有し、
前記柱部の少なくとも一部分が、前記パンチヘッドの前記内孔の前記内ネジ山に係合するための外ネジ山を有することを特徴とする請求項１に記載のパンチヘッド組立体。
【請求項３】
前記ピン部材が、先端部と基端部とを有し、設置チャネルをさらに有し、
前記設置チャネルが、前記先端部において開口し、当該ピン部材が前記第２経路内で前記第１位置にあるときに前記ボールベアリングの少なくとも一部分をスライド可能に受けるように寸法付けられていることを特徴とする請求項１に記載のパンチヘッド組立体。
【請求項４】
前記ピン部材が、前記設置チャネルから離間した動作チャネルを有し、
前記動作チャネルの一端部が、ボール固定部分を有し、
前記ボール固定部分が、前記ボールベアリングを受け、それにより、前記ボールベアリングを前記駆動体の前記外側ボール係合面と係合させるように固定し、前記パンチヘッドの軸方向位置をロックすることを特徴とする請求項３に記載のパンチヘッド組立体。
【請求項５】
前記動作チャネルが、ボール受容部分と、前記ボールベアリングを前記ボール固定部分内へ案内するために前記ボール受容部分と前記ボール固定部分との間にある段状部分と、を有することを特徴とする請求項４に記載のパンチヘッド組立体。
【請求項６】
前記ピン部材が、前記設置チャネルと前記動作チャネルとを接続する結合チャネルを有し、
前記ボールベアリングが、前記ピン部材を前記第１及び第２位置間で移動させると、前記結合チャネルを通して移動することを特徴とする請求項４に記載のパンチヘッド組立体。
【請求項７】
前記第２経路内で受けられたバネをさらに備え、
前記バネが、前記ピン部材の先端部に当接し、これにより前記第２経路から外れるように前記ピン部材を付勢することを特徴とする請求項１に記載のパンチヘッド組立体。
【請求項８】
前記第１及び第２経路が、前記パンチヘッドの前記主本体の前記第２端部にまたは前記第２端部近傍に位置していることを特徴とする請求項１に記載のパンチヘッド組立体。
【請求項９】
前記主本体の前記第２端部が、前記第２経路内で受けられている前記ピン部材へのアクセスを提供するアクセス切欠部を有することを特徴とする請求項１に記載のパンチヘッド組立体。
【請求項１０】
前記駆動体の前記外側ボール係合面が、前記柱部に長手方向に配設された１以上のスロットを有することを特徴とする請求項１に記載のパンチヘッド組立体。
【請求項１１】
前記駆動体が、基部を有し、
前記柱部が、前記基部から延在し、
前記ピン部材の軸方向移動により、前記パンチヘッドと前記駆動体の前記基部との間の軸方向距離を調整することを可能とすることを特徴とする請求項１０に記載のパンチヘッド組立体。
【請求項１２】
前記基部が、パンチ本体に連結されるように構成されていることを特徴とする請求項１１に記載のパンチヘッド組立体。
【請求項１３】
両側にある第１及び第２端部と前記第１及び第２端部間に延在する長手方向の内孔とを有する主本体を有するパンチヘッドと、
前記パンチヘッドに連結された駆動体であって、当該駆動体が、基部と、前記基部から延在する柱部と、を有し、前記柱部が、前記パンチヘッドの前記内孔内で延在し、前記パンチヘッドが、当該駆動体に対して軸方向に移動可能である、駆動体と、
前記駆動体の前記柱部に対して前記パンチヘッドの軸方向位置を調整するための調整手段と、
を備えることを特徴とするパンチヘッド組立体。
【請求項１４】
前記調整手段が、前記パンチヘッドのうち前記内孔からほぼ径方向に延在する第１経路内で受容可能なボールベアリングと、前記ボールベアリングに係合するために前記第１経路をほぼ横断する第２経路内で受容可能なピン部材と、を有することを特徴とする請求項１３に記載のパンチヘッド組立体。
【請求項１５】
前記第２経路内で前記ピン部材が軸方向に移動することにより、前記ボールベアリングが前記駆動体の前記柱部にある外側ボール係合面と係合するように及び前記外側ボール係合面から係合解除するように移動させることを特徴とする請求項１４に記載のパンチヘッド組立体。
【請求項１６】
前記第２経路には、バネが位置しており、
前記バネが、前記第２経路から外れるように前記ピン部材を付勢するために前記ピン部材に当接することを特徴とする請求項１５に記載のパンチヘッド組立体。
【請求項１７】
駆動体に連結されたパンチヘッドを有するパンチヘッド組立体を調整する方法であって、
前記パンチヘッドが、第１経路内で受けられたボールベアリングと、第２経路内で受けられたピン部材と、を有し、
当該方法が、
前記ピン部材を前記第２経路内へ押し、前記ボールベアリングを前記ピン部材の動作チャネルのボール固定部分から前記動作チャネルのボール受容部分まで移動させるステップと、
前記駆動体に対して前記パンチヘッドを軸方向で調整し、前記パンチヘッドの軸方向位置を設定するステップと、
前記ピン部材を解放し、前記ボールベアリングを前記動作チャネルの前記ボール受容部分内へ押し込み、これにより、前記パンチヘッドの軸方向位置をロックするステップと、
を備えることを特徴とする方法。
【請求項１８】
前記ピン部材が、前記第２経路内で受けられているバネに抗して押されていることを特徴とする請求項１７に記載の方法。
【請求項１９】
前記ボール固定部分及び前記ボール受容部分が、前記動作チャネルにおける異なる深さを有していることを特徴とする請求項１７に記載の方法。
【請求項２０】
前記パンチヘッドが、前記駆動体の柱部に螺合連結されており、前記柱部に対する軸方向位置を調整することを可能とすることを特徴とする請求項１７に記載の方法。
【請求項２１】
前記ボールベアリングを前記第１経路内へ挿入するステップと、
前記ボールベアリングを前記第１経路内へ挿入した後に、バネを前記第２経路内に挿入するステップと、
前記バネを前記第２経路内へ挿入した後に、前記ピン部材を前記第２経路内へ挿入するステップであって、前記ピン部材の設置チャネルが前記ボールベアリングを向いている、ステップと、
によって、前記パンチヘッドを予め組み立てるステップをさらに備えることを特徴とする請求項１７に記載の方法。
【請求項２２】
前記ボールベアリングを前記動作チャネルから離間した前記ピン部材の前記設置チャネル内で受ける第１位置から前記ボールベアリングを前記動作チャネル内で受ける第２位置まで前記ピン部材を前記第２経路の長手方向軸回りに回転させるステップをさらに備えることを特徴とする請求項２１に記載の方法。
【請求項２３】
前記ピン部材が、前記第１及び第２位置間で約９０度から約１８０度の間だけ回転されることを特徴とする請求項２２に記載の方法。
【発明の詳細な説明】
【技術分野】
【０００１】
本発明は、打抜工具のためのパンチヘッド組立体に関する。より具体的には、本発明は、調整可能であり、これにより打抜工具の長さの調整を可能としたパンチヘッド組立体に関する。
【背景技術】
【０００２】
打抜工具は、主として、シート状金属のようなワークピースに様々なサイズ及び形状の窪みや切欠を形成するために使用される。打抜工具は、しばしば、使用により磨減されるが、このため、再加工または工具の交換を必要とする。
【発明の概要】
【発明が解決しようとする課題】
【０００３】
調整可能であり、打抜工具の長さを現場で容易に調整することを可能とし、これにより再加工や工具の交換を回避するパンチヘッド組立体に対する必要性がある。
【課題を解決するための手段】
【０００４】
したがって、本発明は、パンチヘッド組立体を提供し得、このパンチヘッド組立体は、両側にある第１及び第２端部と第１及び第２端部間に延在する長手方向の内孔とを有する主本体を有するパンチヘッドを備えている。主本体は、内孔からほぼ径方向に延在する少なくとも１つの第１経路と、第１経路をほぼ横断する少なくとも１つの第２経路と、を有する。ボールベアリングは、第１経路内で受容可能である。ピン部材は、ボールベアリングに係合するために第２経路内で受容可能である。ピン部材は、第２経路の長手方向軸に対して第１及び第２位置間で回転移動可能である。駆動体は、パンチヘッドに連結されている。駆動体は、パンチヘッドの第２端部を通って内孔内へ延在する柱部を有する。柱部の少なくとも一部分は、外側ボール係合面を有する。パンチヘッドは、駆動体の柱部に対して軸方向に移動可能である。第２経路内でピン部材が軸方向に移動することによって、ボールベアリングは、駆動体に対してパンチヘッドの軸方向位置を調整するために、駆動体の外側ボール係合面と係合するように及び外側ボール係合面から係合解除するように移動される。
【０００５】
本発明は、同様に、パンチヘッド組立体を提供し得、このパンチヘッド組立体は、両側にある第１及び第２端部と第１及び第２端部間で延在する長手方向の内孔とを有する主本体を有する主本体を有する。駆動体は、パンチヘッドに連結されている。駆動体は、基部と、基部から延在する柱部と、を有する。柱部は、パンチヘッドの内孔内へ延在する。パンチヘッドは、駆動体に対して軸方向に移動可能である。駆動体の柱部に対するパンチヘッドの軸方向位置を調整するための手段が設けられている。
【０００６】
本発明は、駆動体に連結されたパンチヘッドを有するパンチヘッド組立体を調整する方法を依然としてさらに提供し得、パンチヘッドは、第１経路内で受けられたボールベアリングと、第２経路内で受けられたピン部材と、を有し、この方法は、ピン部材を第２経路内へ押し、ボールベアリングをピン部材の動作チャネルのボール固定部分から動作チャネルのボール受容部分まで移動させるステップと、駆動体に対してパンチヘッドを軸方向で調整し、パンチヘッドの軸方向位置を設定するステップと、ピン部材を解放し、ボールベアリングを動作チャネルのボール受容部分内へ押し込み、これにより、パンチヘッドの軸方向位置をロックするステップと、を備える。
【０００７】
本発明及び本発明に付随する様々な利点の完全な理解は、添付の図面に関連して以下の詳細な説明を参照することによってより理解するにしたがって、迅速に得られる。
【図面の簡単な説明】
【０００８】
【図１】本発明の例示的な実施形態にかかるパンチヘッド組立体を示す分解斜視図であって、パンチヘッド組立体を打抜工具の構成部材と共に示す、分解斜視図である。
【図２】図１に示すパンチヘッド組立体を示す側面図であって、パンチヘッド組立体が打抜工具の構成部材に連結されている、側面図である。
【図３】図２の横断面図である。
【図４Ａ】図１に示すパンチヘッド組立体のピン部材を示す図である。
【図４Ｂ】図１に示すパンチヘッド組立体のピン部材を示す図である。
【図４Ｃ】図１に示すパンチヘッド組立体のピン部材を示す図である。
【図４Ｄ】図１に示すパンチヘッド組立体のピン部材を示す図である。
【図５】図１に示すパンチヘッド組立体を示す部分破断上面図であって、ピン部材及び関連するボールベアリングが係合解除位置にある、上面図である。
【図６】図５と同様の部分破断上面図であって、ピン部材及びボールベアリングが係合位置にある、上面図である。
【発明を実施するための形態】
【０００９】
図１から図６を参照すると、本発明は、打抜工具１０のためのパンチヘッド組立体１００に関し、このパンチヘッド組立体は、工具が磨減するにしたがって打抜工具１０の長さを現場で容易に調整することを可能とするように設計されている。本発明の例示的な実施形態にかかるパンチヘッド組立体１００は、全体として、駆動体１０４に連結されたパンチヘッド１０２と、パンチヘッド１０２の軸方向位置を調整するための調整機構と、を有しており、このパンチヘッドの軸方向位置は、パンチヘッド１０２と駆動体１０４との間の距離である。このようにパンチヘッド１０２の軸方向位置を調整することにより、打抜工具１０の長さの調整が提供される。
【００１０】
図１から図３に示すように、パンチヘッド組立体１００は、打抜工具１０のパンチ本体１２に連結され得る。パンチ本体１２は、切削機能を提供し、任意で、このパンチ本体内にバネ負荷式排出部材１４を有し得、このバネ負荷式排出部材は、従来公知であるように、パンチ本体１２の一部を形成してパンチ本体を排出するように機能する。
【００１１】
パンチヘッド１０２は、全体として、主本体１１０を有しており、この主本体は、両側の第１及び第２端部１１２及び１１４と、第１及び第２端部１１２及び１１４間で延在する長手方向内孔１１６と、を有する。内孔１１６は、好ましくは、駆動体１０４の一部分を受けるように寸法付けされかつ構成されている。第１端部１１２の端面１１８は、好ましくは、刻まれた目盛のような表示を有しており、このメモリは、どの程度工具１０を調整したかに関する測定を操作者に提供する。
【００１２】
主本体１１０は、内孔１１６からほぼ径方向外側に延在するボールベアリング経路１２０を有する。経路１２０は、図５及び図６において最もよく示すように、その外端部１２２において開口しており、ボールベアリング１２４の挿入を可能としており、また、その内端部１２５において開口しており、ボールベアリング１２４を駆動体１０４と係合させることを可能とする。内端部１２５は、好ましくは、ボールベアリング１２４を捕捉するように寸法付けられており、それにより、ボールベアリング１２４が経路１２０から落下することを防止する。主本体１１０は、同様に、ボールベアリング経路１２０をほぼ横断してボールベアリング経路を分割するピン経路１３０を有している。ピン経路１３０は、図５及び図６において最もよく示すように、バネ１３４によってバネ付勢されたピン部材１３２をスライド可能に受けるように寸法付けられかつ構成されている。切欠部分１３６は、第２端部１１４において主本体１１０に設けられ得、この切欠部分は、ピン部材１３２によってピン経路１３０にアクセスすることを可能とするように寸法付けられている。
【００１３】
駆動体１０４は、基部１４０と、基部１４０から延在する柱部１４２と、を有する。柱部１４２は、パンチヘッドの第２端部１１４を通してパンチヘッド１０２の内孔１１６内に挿入可能である。パンチヘッド１０２は、駆動体１０４の柱部１４２に対して軸方向に移動可能である。好ましい実施形態において、柱部１４２及び内孔１１６は、螺合されている。すなわち、パンチヘッド１０２の内孔１１６は、柱部１４２の一部分にある外ネジ山１４４に係合する内ネジ山１３８を有し得る。この螺合は、パンチヘッド１０２が駆動体の柱部１４２に対して回転して軸方向に移動することを可能とし、パンチヘッド１０２の軸方向位置を調整する。柱部１４２は、同様に、好ましくは外ネジ山１４４に隣接する外側ボール係合面１４６を有し得、この外側ボール係合面は、ボールベアリング１２４と協働して駆動体１０４に対するパンチヘッド１０２の選択した軸方向位置をロックする。外側ボール係合面１４６は、例えば、図５に示すように、ボールベアリング１２４の一部分を受けるように寸法付けされた１以上のスロット１４８を有し得る。スロット１４８は、好ましくは、柱部１４２の外面に長手方向に配設されており、柱部の外面の周りに延在する。
【００１４】
駆動体１０４の基部１４０は、打抜工具１０のパンチ本体１２に連結している。基部１４０は、図３において最もよく示すように、パンチ本体１２の端部１６を受けるように寸法付けされた内側凹所領域１５０を有し得る。好ましい実施形態において、パンチ本体１２の端部１６は、駆動体の内側凹所領域１５０の対応するネジ山に係合するネジ山を有する。図２に示すように、ネジのような固定具１５２は、同様に、駆動体の基部１４０をパンチ本体１２に取り付けるために使用され得、駆動体１０４とパンチ本体１２との間の相対移動を防止し得る。
【００１５】
ピン部材１３２は、ピン部材１３２をピン経路１３０内で移動させると駆動体１０４の柱部１４２にあるスロット１４８のうちの１つと係合させる及びスロットのうちの１つから係合解除させるようにボールベアリング１２４を移動させるように形付けられているかつ構成されている。図４Ａから図４Ｄに示すように、ピン部材１３２は、全体として、基端部１６０、先端部１６２、設置チャネル１６４、設置チャネル１６４から間隔をあけた動作チャネル１６６、及び、設置チャネル１６４と動作チャネル１６６とを結合する結合チャネル１６８を有する。先端部１６２は、パンチヘッド１０２のピン経路１３０内に挿入されており、基端部１６０は、操作者によるピン部材１３２の操縦を可能とする把持セクション１６１を形成する。設置チャネル１６４及び動作チャネル１６６は、図４Ｄに示すように、好ましくは、一定の角度α、好ましくは約９０度から約１８０度、より好ましくは約１３５度だけ互いに間隔をあけている。
【００１６】
設置チャネル１６４は、先端部１６２において開口しており、ピン部材１３２のほぼ中間まで延在し得る。設置チャネル１６４は、ボールベアリング１２４を少なくとも部分的に受けるように寸法付けられており、これにより、ピン部材１３２がボールベアリング１２４を越えてまたはボールベアリングと平行にピン経路１３０内へスライドすることを可能とする。動作チャネル１６６は、ボールベアリング１２４を受けてボールベアリングを駆動体１０４の柱部１４２と係合させるように移動させるように形付けられている。動作チャネル１６６は、基端部１６０及び先端部１６２のいずれにおいても開口していない。動作チャネル１６６は、図４Ｃにおいて最もよく示されるように、ボール受容部分１７０と、ボール固定部分１７２と、これらボール受容部分及びボール固定部分間にある段状部分１７４と、を有する。ボール受容部分１７０は、ピン部材１３２を回転させてボールベアリング１２４を設置チャネル１６４から外へ移動させかつ動作チャネル１６６内へ移動させると、結合チャネル１６８からボールベアリング１２４を受ける。段状部分１７４は、ボールベアリング１２４をボール固定部分１７２内へ案内する。ボール固定部分１７２は、ボールベアリング１２４を駆動体の柱部１４２にあるスロット１４８と係合させるように固定する。
【００１７】
パンチヘッド組立体１００は、最初に、ボールベアリング１２４、バネ１３４及びピン部材１３２をパンチヘッド１０２と共に組み立てることによって組み立てられる。まず、ボールベアリング１２４は、パンチヘッド１０２にあるボールベアリング経路１２０内にそして経路１２０の内端部１２５に挿入し、それにより、ボールベアリング１２４は、内端部１２５に載置され、次に、バネ１３４をピン経路１３０内に挿入され得、その後、ピン部材１３２をその設置チャネル１６４がボールベアリング１２４の方向で内側を向いた状態で、バネ１３４の付勢力に抗してピン経路１３０内に挿入し得、これにより、ピン部材１３２は、図５において最もよく示されるように、ボールベアリング１２４を越えてまたはボールベアリングに平行に、軸方向にスライドすることを可能とする。
【００１８】
いったんピン部材１３２を経路１３０内に挿入すると、ボールベアリング１２４が動作チャネル１６６に到達するまで、ピン部材１３２は、ピン経路１３０の長手方向軸回りに、一定の角度、例えば１３５度回転され得る。より具体的には、ピン部材１３２を回転させることによって、ボールベアリング１２４を結合チャネル１６８内へ押し込み、この結合チャネルは、ボールベアリング１２４を動作チャネル１６６のボール受容部分１７０まで延ばす。ピン部材１３２を解放すると、バネ１３４は、経路１３０から外れる方向でピン部材１３２を押し、それにより、段状部分１７４は、ボールベアリング１２４を動作チャネル１６６のボール固定部分１７２内へ案内しており、ボールベアリング１２４の一部分は、経路１２０の内端部１２５においてパンチヘッドの内孔１１６内へ延びる。ピン部材１３２がピン経路１３０から外へ出てくることをボールベアリング１２４が防止するので、ピン部材１３２は、パンチヘッド１０２内で保持される。
【００１９】
いったんボールベアリング１２４、バネ１３４及びピン部材１３２をパンチヘッド１０２と共に組み立てると、予め組み立てられたパンチヘッド１０２を駆動体１０４と連結し得る。そのために、ピン部材１３２は、バネ１３４に抗して押され、ボールベアリング１２４を動作チャネル１６６のボール受容部分１７０へ移動させ、これにより、駆動体１０４の柱部１４２をパンチヘッド１０２の内孔１１６内へ邪魔なく挿入することを可能とする。いったん柱部１４２をパンチヘッド１０２内に挿入すると、内孔１１６の内面の少なくとも一部分１３８と柱部１４２の外面の少なくとも一部分１４４とは、好ましくは、螺合される。そして、ピン部材１３２は、解放され、ボールベアリング１２４を動作チャネル１６６のボール固定部分１７２内へ戻るように移動させ、それにより、ボールベアリング１２４は、好ましくはスロット１４８のうちの１つに係合することによって、柱部１４２の外側ボール係合面１４６に係合する。
【００２０】
ボールベアリング１２４とスロット１４８のうちの１つとの間の係合は、駆動体の柱部１４２に対するパンチヘッド１０２の回転及び軸方向移動を停止させ、パンチヘッド１０２を選択した軸方向位置にロックする。バネ１３４は、ピン部材１３２の先端部１６２に押し付け、ピン部材１３２をピン経路１３０から押し出す。これにより、図６に示すように、操作者による操作のために、ピン部材１３２の把持セクション１６１を露出させる。
【００２１】
駆動体１０４に対してパンチヘッド１０２の軸方向位置を調整するため、ボールベアリング１２４が動作チャネル１６６のボール受容部分１７０内に配設されるまで、ピン部材１３２をピン経路１３０内へ押し得る。ボール受容部分１７０がチャネル１６６においてボール固定部分１７２よりも深いので、ピン部材１３２をボール固定部分１７２に向けて押すことにより、ボールベアリング１２４を柱部１４２との係合から解放し、ボールベアリング１２４がボール固定部分１７２から外へ移動してボール受容部分１７０に置かれることを可能とする。そして、パンチヘッド１０２は、ネジ山を介してパンチヘッド１０２を回転させることなどによって、駆動体１０４に対して軸方向で移動され、例えば、その軸方向位置を調整する。いったんパンチヘッド１０２の新たな位置を選択すると、上述と同じ態様でピン部材１３２を解放することによってパンチヘッドを所定位置でロックし得、ボールベアリング１２４がスロット１４８内に落ち込むことを可能とする。
【００２２】
特有の実施形態を選択して本発明を例示したが、当業者が理解することは、添付の特許請求の範囲で規定された発明の範囲から逸脱することなく様々な変更及び改変を実施形態においてなし得ること、である。
【符号の説明】
【００２３】
１２  パンチ本体、１００  パンチヘッド組立体、１０２  パンチヘッド、１０４  駆動体、１１０  主本体、１１２  第１端部、１１４  第２端部、１１６  長手方向内孔、１２０  ボールベアリング経路（第１経路）、１２４  ボールベアリング、１３０  ピン経路（第２経路）、１３２  ピン部材、１３４  バネ、１３６  切欠部分、１３８  内ネジ山、１４０  基部、１４２  柱部、１４４  外ネジ山、１４６  外側ボール係合面、１４８  スロット、１６０  基端部、１６２  先端部、１６４  設置チャネル、１６６  動作チャネル、１６８  結合チャネル、１７０  ボール受容部分、１７２  ボール固定部分、１７４  段状部分
【図１】
2018176277.tif 000003
【図２】
2018176277.tif 000004
【図３】
2018176277.tif 000005
【図４Ａ】
2018176277.tif 000006
【図４Ｂ】
2018176277.tif 000007
【図４Ｃ】
2018176277.tif 000008
【図４Ｄ】
2018176277.tif 000009
【図５】
2018176277.tif 000010
【図６】
2018176277.tif 000011
【外国語明細書】
2018176277000001.pdf